(57)【特許請求の範囲】
【請求項１】
決められた材質及び形状の専用調理容器と、前記専用調理容器を載置するトッププレートと、前記専用調理容器に対応したコースを含む複数のコースを有する調理コースと、使用者が前記調理コースから１つのコースを選択するコース選択キーと、選択された前記調理コースで加熱を開始する加熱キーと、前記トッププレートに載置された前記専用調理容器を加熱するために誘導磁界を発生させる加熱コイルと、スイッチング素子をオンオフすることにより前記加熱コイルに高周波電流を供給するインバータ回路と、前記コース選択キーにより選択された前記調理コースに対応して前記インバータ回路を制御する制御手段とを備え、前記スイッチング素子に印加される電圧と前記スイッチング素子のオン時間が所定の領域内にあることにより前記専用調理容器が載置されていることを判別する容器判別手段を有し、前記制御手段は、前記容器判別手段により前記専用調理容器が載置されていないと判定した場合に、選択された前記調理コースの調理を継続し、前記容器判別手段により前記専用調理容器が載置されていると判定した場合に、選択された前記調理コースが前記専用調理容器に対応する調理コースと一致する場合は前記調理コースの調理を継続し、一致しない場合は選択された前記調理コースを前記専用調理容器に対応する調理コースに変更して制御するようにした誘導加熱調理器。
【請求項２】
前記加熱コイルは、第１の加熱コイルの外側に、第２の加熱コイルを巻き加熱コイルの径を切り替えられる構成とし、前記容器判別手段により、前記専用調理容器と判定した場合に、加熱コイルの径を切り替えるようにした請求項１に記載の誘導加熱調理器。
【請求項３】
前記加熱コイルは、前記加熱コイルの周囲に複数の補助加熱コイルを備えた加熱コイル面積を切り替えられる構成とし、前記容器判別手段により、前記専用調理容器と判定した場合に、加熱コイルの面積を切り替えるようにした請求項１または２に記載の誘導加熱調理器。
【請求項４】
制御手段は、前記容器判別手段により前記専用調理容器と判定されている間は、前記加熱キーのみの操作で、前記専用調理容器に対応する調理コースで加熱を開始するようにした請求項１〜３のいずれか１項に記載の誘導加熱調理器。
【請求項５】
表示手段を備え、前記容器判別手段により前記専用調理容器に対応する調理コースの制御に変更した場合に、変更したことを表示するようにした請求項１〜４のいずれか１項に記載の誘導加熱調理器。
【請求項６】
報知手段を備え、前記容器判別手段により前記専用調理容器に対応する調理コースの制御
に変更した場合に、変更したことを報知するようにした請求項１〜５のいずれか１項に記載の誘導加熱調理器。
【発明の詳細な説明】
【技術分野】
【０００１】
本発明は、卓上での鍋物調理や焼き物調理などに用いる誘導加熱調理器に関するものである。
【背景技術】
【０００２】
従来、この種の誘導加熱調理器は、調理物を入れる鍋と、鍋を載置するトッププレートの下部に加熱手段と、前記トッププレートに接するように前記調理物を加熱制御する温度検知手段とを備え、鍋の種類や焼き物や揚げ物などの調理メニューごとに専用のキーを設けて、調理開始時に該当のキーを操作すると所定のシーケンスにて加熱制御を行うものがある（例えば、特許文献１参照）。
【先行技術文献】
【特許文献】
【０００３】
【特許文献１】特開平１１−１０１４４５号公報
【発明の概要】
【発明が解決しようとする課題】
【０００４】
しかしながら、前記従来の構成では、専用調理容器を備えた誘導加熱調理器において、コース選択を誤り専用調理容器に最適な調理コースが選択されずに調理を継続した場合に、使用者にとって最適な調理ができないという課題を有していた。
【０００５】
本発明は、前記従来の課題を解決するもので、容器判別手段により、専用調理器容器がトッププレート上に載置されているかどうかを判別し、専用調理容器が載置されており、かつ選択された調理コースが専用調理容器の最適な調理コースでない場合に、専用調理容器に最適な調理コースによる制御に変更することによって、専用調理容器において最適な調理ができる調理性能の高い誘導加熱調理器を提供することを目的とする。
【課題を解決するための手段】
【０００６】
前記従来の課題を解決するために、本発明の誘導加熱調理器は、決められた材質及び形状の専用調理容器と、前記専用調理容器を載置するトッププレートと、前記専用調理容器に対応したコースを含む複数のコースを有する調理コースと、使用者が前記調理コースから１つのコースを選択するコース選択キーと、選択された前記調理コースで加熱を開始する加熱キーと、前記トッププレートに載置された前記専用調理容器を加熱するために誘導磁界を発生させる加熱コイルと、スイッチング素子をオンオフすることにより前記加熱コイルに高周波電流を供給するインバータ回路と、前記コース選択キーにより選択された前記調理コースに対応して前記インバータ回路を制御する制御手段とを備え、前記スイッチング素子に印加される電圧と前記スイッチング素子のオン時間が所定の領域内にあることにより前記専用調理容器が載置されていることを判別する容器判別手段を有し、前記制御手段は、前記容器判別手段により前記専用調理容器が載置されていないと判定した場合に、選択された前記調理コースの調理を継続し、前記容器判別手段により前記専用調理容器が載置されていると判定した場合に、選択された前記調理コースが前記専用調理容器に対応する調理コースと一致する場合は前記調理コースの調理を継続し、一致しない場合は選択された前記調理コースを前記専用調理容器に対応する調理コースに変更して制御するようにしたものである。
【０００７】
これによって、専用調理容器において使用者が最適な調理を行うことがきる。
【発明の効果】
【０００８】
本発明の誘導加熱調理器は、専用調理容器が使用されているが、専用調理容器に適した
調理コースが選択されなかった場合でも、専用調理容器に適した調理コースに変更するため、専用調理容器において使用者が最適な調理を行うことがき、調理性能を向上することができる。
【図面の簡単な説明】
【０００９】
【図１】本発明の実施の形態１における誘導加熱調理器の全体構成図
【図２】本発明の実施の形態１における誘導加熱調理器のスイッチング素子への印加電圧とオン時間の関係図
【図３】本発明の実施の形態２における誘導加熱調理器の加熱コイル構成図
【図４】本発明の実施の形態３における誘導加熱調理器の加熱コイル構成図
【発明を実施するための形態】
【００１０】
第１の発明は、決められた材質及び形状の専用調理容器と、前記専用調理容器を載置するトッププレートと、前記専用調理容器に対応したコースを含む複数のコースを有する調理コースと、使用者が前記調理コースから１つのコースを選択するコース選択キーと、選択された前記調理コースで加熱を開始する加熱キーと、前記トッププレートに載置された前記専用調理容器を加熱するために誘導磁界を発生させる加熱コイルと、スイッチング素子をオンオフすることにより前記加熱コイルに高周波電流を供給するインバータ回路と、前記コース選択キーにより選択された前記調理コースに対応して前記インバータ回路を制御する制御手段とを備え、前記スイッチング素子に印加される電圧と前記スイッチング素
子のオン時間が所定の領域内にあることにより前記専用調理容器が載置されていることを判別する容器判別手段を有し、前記制御手段は、前記容器判別手段により前記専用調理容器が載置されていないと判定した場合に、選択された前記調理コースの調理を継続し、前記容器判別手段により前記専用調理容器が載置されていると判定した場合に、選択された前記調理コースが前記専用調理容器に対応する調理コースと一致する場合は前記調理コースの調理を継続し、一致しない場合は選択された前記調理コースを前記専用調理容器に対応する調理コースに変更して制御するようにしたことにより、専用調理容器において最適な調理コースが選択されなかった場合でも、最適なコースに変更するため、使用者が最適な調理をすることができる。
【００１１】
第２の発明は、特に、第１の発明の前記加熱コイルは、第１の加熱コイルの外側に、第２の加熱コイルを巻き加熱コイルの径を切り替えられる構成とし、前記容器判別手段により、前記専用調理容器と判定した場合に、加熱コイルの径を切り替えるようにしたことにより、平面プレートのような広い加熱面積を必要とする専用調理容器において、加熱コイルの径を切り替えることができるため、加熱面積が広がり調理性能を向上することができる。
【００１２】
第３の発明は、特に、第１または第２のいずれか１つの発明の前記加熱コイルは、前記加熱コイルの周囲に複数の補助加熱コイルを備えた加熱コイル面積を切り替えられる構成とし、前記容器判別手段により、前記専用調理容器と判定した場合に、加熱コイルの面積を切り替えるようにしたことにより、平面プレートのように四隅が熱伝導により加熱するような専用調理容器において、補助コイルで加熱できるため、四隅も直接加熱することで、熱分布が均一になり調理性能をさらに向上することができる。
【００１３】
第４の発明は、特に、第１〜３のいずれか１つの発明の制御手段は、前記容器判別手段により前記専用調理容器と判定されている間は、前記加熱キーのみの操作で、前記専用調理容器に対応する調理コースで加熱を開始するようにしたことにより、専用調理容器が載置されている間は、加熱キーの操作のみで、専用調理容器に対応する調理コースで加熱を開始するため、簡単な操作で調理できるため、操作性を向上することができる。
【００１４】
第５の発明は、特に、第１〜４のいずれか１つの発明において、表示手段を備え、前記容器判別手段により前記専用調理容器に対応する調理コースの制御に変更した場合に、変
更したことを表示するようにしたことにより、調理コースを変更したことを使用者に伝えることで、使い勝手の向上、さらには専用調理容器に最適なコースに変更したことに伴う調理容器の温度が変わった場合の取り扱い上の安全喚起にもつながり安全性も向上する。
【００１５】
第６の発明は、特に第１〜５のいずれか１つの発明において、報知手段を備え、前記容器判別手段により前記専用調理容器に対応する調理コースの制御に変更した場合に、変更したことを報知するようにしたことにより、調理コースを変更したことを使用者に伝えることで、使い勝手の向上、さらには専用調理容器に最適なコースに変更したことに伴う調理容器の温度が変わった場合の取り扱い上の安全喚起にもつながり安全性も向上する。
【００１６】
（実施の形態１）
図１は、本発明の第１の実施の形態における誘導加熱調理器の全体構成図を示すものである。
【００１７】
図１に示すように、調理物を入れる専用調理容器であるホットプレート１と、ホットプレート１を載置するトッププレート２と、調理コースを選択するコース選択キー３と、選択された調理コースで加熱を開始する加熱キー４と、トッププレート２に載置されたホットプレート１を加熱するために誘導磁界を発生させる加熱コイル５と、ＩＧＢＴ等のスイッチング素子６をオンオフすることにより前記加熱コイルに高周波電流を供給するインバータ回路７と、コース選択キー３により選択された調理コースに対応してインバータ回路７を制御する制御手段８と、スイッチング素子６に印加される電圧とスイッチング素子６のオン時間が所定の領域内にあることによりホットプレート１が載置されていることを判別する容器判別手段９と、容器判別手段９によりホットプレート１に対応する調理コースの制御に変更したことを表示する表示手段１０と、容器判別手段９の判別結果により制御手段８がホットプレート１に対応する調理コースの制御に変更したことを報知する報知手段１１とで構成している。
【００１８】
以上のように構成された誘導加熱調理器について、以下その動作、作用を説明する。
【００１９】
一般にホットプレート１は、温度一定制御を行う焼き物コースにて調理する。しかし、使用者がコース選択を誤って、焼き物コースで使用するホットプレート１を火力一定制御を行う加熱コースを選択して加熱キー４により加熱を始めた場合について説明する。
【００２０】
火力一定制御の加熱コースでは、ホットプレート１を使用して焼き物をする場合に、目標温度に対して一定になるように制御しないため、焼き時間がかかるなどうまく調理できない可能性がある。
【００２１】
図２は、本発明の第１の実施の形態における誘導加熱調理器のスイッチング素子への印加電圧とオン時間の関係図であり、各鍋における火力を変化させた時のスイッチング素子６の印加電圧とオン時間の関係を示している。
【００２２】
図２において、ホットプレート１とステンレス鍋と鉄鍋では材質や形状の違い等により、所定の火力時のスイッチング素子６への印加電圧とオン時間の関係がそれぞれ異なる。
【００２３】
調理容器の種類の判定は、加熱開始時の初期火力が決められており、例えば、初期火力が火力５であったとする。火力５の場合、スイッチング素子６への印加電圧とオン時間の点が、図２におけるホットプレート１のグラフの実線で囲んだ領域にあれば、専用調理容器であるホットプレート１であると判定できる。
【００２４】
したがって、制御手段８は、ホットプレート１がトッププレート２に置かれていると容
器判別手段９が判定し、選択された調理コースが焼き物コースであれば、そのまま調理を継続し、焼き物コースで無い場合は、インバータ回路７の制御を加熱コースから焼き物コースに変更することができる。
【００２５】
さらに、調理コース変更時には、例えば、ホットプレート１が載置されており、調理コースがホットプレート１に適さないコースが選択されたため、調理コースをホットプレート１に最適な焼き物コースに変更したことを表示手段１０と報知手段１１により、視覚的または聴覚的に使用者に伝えることとなる。
これによって、調理コースを変更したことを使用者に伝えることで、ホットプレート１で調理をおこなった場合の使い勝手の向上と、さらには専用調理容器に最適な焼き物コースの温度一定制御に変更することに伴って、調理容器の温度が変わった場合でも、例えば、ホットプレート１が高温になり危険であることを使用者に伝えることになり、取り扱い上の安全喚起にもつながり安全性の向上も実現することができる。
【００２６】
以上のように、本実施の形態においては、インバータ回路のスイッチング素子に印加される電圧とスイッチング素子のオン時間が所定の領域内にあることにより専用調理容器が載置されていることを判別する容器判別手段を有し、制御手段は、容器判別手段により専用調理容器が載置されていないと判定した場合には、選択された前記調理コースの調理を継続し、容器判別手段により専用調理容器が載置されていると判定した場合には、選択された調理コースが専用調理容器に対応する調理コースと一致する場合は調理コースの調理を継続し、一致しない場合は専用調理容器に対応する調理コースによる制御に変更するようにしたことにより、専用調理容器において最適な調理コースが選択されなかった場合でも、最適なコースに変更するため、使用者が最適な調理をすることができる。
【００２７】
（実施の形態２）
図３は、本発明の第２の実施の形態における誘導加熱調理器の加熱コイル構成図である。
【００２８】
図３において、加熱コイル５を第１の加熱コイル１２の外側に、第２の加熱コイル１３を巻き加熱コイルの径を切り替えられる構成としている。
【００２９】
以上のように構成された誘導加熱調理器について、以下その動作、作用を説明する。
【００３０】
まず、容器判別手段９により、トッププレート上にホットプレート１が載置されていると判定した場合に、第１の加熱コイル１２に第２の加熱コイル１３を接続することで加熱コイル全体の径が大きくなるため、ホットプレート１のような調理面積の広い調理容器では、加熱面積が広がるため、調理性能を向上することができる。
【００３１】
（実施の形態３）
図４は、本発明の第３の実施の形態における誘導加熱調理器の加熱コイル構成図である。
【００３２】
図４において、図４（１）補助コイル無しに示す構成において、加熱コイル５の周囲に図４（２）補助コイル有りに示す複数の補助加熱コイル１４を備え、補助加熱コイル１４を同時に使用できるようにしたもので、加熱コイル面積を切り替えられる構成としている。
【００３３】
以上のように構成された誘導加熱調理器について、以下その動作、作用を説明する。
【００３４】
まず、容器判別手段９により、ホットプレート１が載置されていると判別した場合に、
加熱コイル５と補助加熱コイル１４に、インバータ回路７から高周波電流を供給することで、ホットプレート１のように四隅が熱伝導により加熱するような専用調理容器において、補助コイルによる加熱により四隅も直接加熱できるため、加熱面積が広がり、熱分布が図４（１）よりも均一になり調理性能をさらに向上することができる。
【００３５】
（実施の形態４）
本実施の形態における誘導加熱調理器は、本実施の形態１〜３いずれかにおいて、加熱をしていない間も容器判別を行い、容器判別手段９がトッププレート上にホットプレート１が載置されていると判定している間は、加熱キー４を操作するだけで、直接温度一定制御を行う焼き物コースで調理を開始する。
【００３６】
ホットプレートが載置されていない場合は、加熱キー４の操作では直接焼き物コースで開始しないようにする。これによって、専用のホットプレート１以外での焼き物コースによる温度が低いなどの調理性能が低下した状態での使用による調理の失敗を低減することができる。ホットプレート１が載置されている間は、加熱キー４の操作のみで、焼き物コースで加熱を開始するため、簡単な操作で調理できるため、操作性を向上することができる。
【産業上の利用可能性】
【００３７】
以上のように、本発明にかかわる誘導加熱調理器は、専用調理容器に最適でない調理コースが誤って選択されても、専用調理容器に最適な調理コースに変更するため、使用者が最適な調理ができ、調理性能の向上を図ることができるので、家庭用あるいは業務用の加熱調理器に有効である。
【符号の説明】
【００３８】
１  ホットプレート
２  トッププレート
３  コース選択キー
４  加熱キー
５  加熱コイル
６  スイッチング素子
７  インバータ回路
８  制御手段
９  容器判別手段
１０  表示手段
１１  報知手段
１２  第１の加熱コイル
１３  第２の加熱コイル
１４  補助加熱コイル
【図１】
0005487837.tif 000002
【図２】
0005487837.tif 000003
【図３】
0005487837.tif 000004
【図４】
0005487837.tif 000005